(57)【特許請求の範囲】
【請求項１】
室内上部の交差する壁に沿って連続する２箇所のフラット部と勾配部とを備え、
前記フラット部が、室内の上部の壁際に水平に配置した矩形状の枠体の下面に天井材を貼設した構成となっており、
前記勾配部が、
前記フラット部が連続していない室内上部の壁際に水平に配置した野縁部材および前記枠体の前記勾配部側に配置されている他の野縁部材より上方位置の天井頂部に水平に延在して配置した１本の棟部材と、
前記野縁部材に交差する前記他の野縁部材の両端部と前記棟部材の端部との間に所定の勾配を付けて連結した２本の隅棟部材と、
前記野縁部材と前記棟部材との間、前記他の野縁部材と前記隅棟部材との間、前記野縁部材に平行な他の野縁部材と前記棟部材との間にそれぞれ所定の勾配をつけて配置された複数の勾配スタッド材と、これら野縁部材、棟部材及び隅棟部材に支持されて前記勾配をつけて配置した天井材とを備え、
前記棟部材及び前記隅棟部材を、鋼材により形成したことを特徴とする勾配天井。
【請求項２】
前記棟部材を、複数の分割部材を直列に接続して構成したことを特徴とする請求項１記載の勾配天井。
【請求項３】
前記棟部材を、第１及び第２の端部材と、これら第１及び第２の端部材の間に連結している中間棟部材との３つの部材により構成し、棟行き方向の寸法の変化に応じて前記中間棟部材の長さを適宜調整することを特徴とする請求項２記載の勾配天井。
【請求項４】
前記隅棟部材を、複数の分割部材を直列に接続して構成したことを特徴とする請求項１乃至３の何れかに記載の勾配天井。
【請求項５】
前記隅棟部材を、上端部材及び下端部材と、これら上端部材及び下端部材の間を連結する中間隅棟部材との３つの部材により構成し、前記勾配の変化に応じて前記中間隅棟部材の長さを適宜調整することを特徴とする請求項４記載の勾配天井。
【発明の詳細な説明】
【０００１】
【発明の属する技術分野】
この発明は、例えば、船底天井、斜め天井等のように、天井の形状として少なくとも一部に勾配部分を有する勾配天井に関する。
【０００２】
【背景の技術】
勾配天井は、室内上部の壁際に水平に配置した複数の野縁部材と、天井頂部に水平に配置した棟部材と、野縁部材と棟部材との間に所定の勾配を付けて連結した隅棟部材と、これら野縁部材、棟部材及び隅棟部材に支持されて所定の勾配を付けて配置した天井材とを備えている。
【０００３】
木造建築では、一般に、上記勾配天井を構成している野縁部材、棟部材、隅棟部材は木製部材により構成されている。
【０００４】
【発明が解決しようとする課題】
しかし、近年のように森林破壊が問題となっている現状では、木材の入手が困難になってきており、天井部材を全て木材で構成すると施工コストの高騰化を招くおそれがある。
【０００５】
また、木製部材を使用した勾配天井の施工は、現場で各部材を勾配天井の大きさに合わせて切断し、部材どうしの連結部分を天井の勾配に応じてカットし、微妙な調整を行いながら連結する必要があり、この作業には高度な熟練を要する上に、手間がかかり作業性が悪く、施工時間がかかるという問題もある。
【０００６】
よって、本発明は、上記課題に鑑みてなされたものであり、その目的は、施工の容易化及び簡略化による作業性の向上及び工期の短縮を図るとともに、施工コストの削減も図ることが可能な勾配天井を提供することである。
【０００７】
【課題を解決するための手段】
上記問題を解決するために、本発明の勾配天井は、室内上部の交差する壁に沿って連続する２箇所のフラット部と勾配部とを備え、
前記フラット部が、室内の上部の壁際に水平に配置した矩形状の枠体の下面に天井材を貼設した構成となっており、
前記勾配部が、
前記フラット部が連続していない室内上部の壁際に水平に配置した野縁部材および前記枠体の前記勾配部側に配置されている他の野縁部材より上方位置の天井頂部に水平に延在して配置した１本の棟部材と、
前記野縁部材に交差する前記他の野縁部材の両端部と前記棟部材の端部との間に所定の勾配を付けて連結した２本の隅棟部材と、
前記野縁部材と前記棟部材との間、前記他の野縁部材と前記隅棟部材との間、前記野縁部材に平行な他の野縁部材と前記棟部材との間にそれぞれ所定の勾配をつけて配置された複数の勾配スタッド材と、これら野縁部材、棟部材及び隅棟部材に支持されて前記勾配をつけて配置した天井材とを備え、
前記棟部材及び前記隅棟部材を、鋼材により形成した。
【０００８】
この発明によると、棟部材及び隅棟部材を鋼材により形成したので、予め工場等で形成することが可能で、工業化の推進及び現場作業の簡略化を図ることができる。しかも、天井部材として入手が困難な木材を使用する部分が少なくなるので、施工コストの高騰化を抑制することができる。
【０００９】
ここで、前記棟部材及び前記隅棟部材の一方、或いは両者を、複数の分割部材を直列に接続して構成してもよい。
【００１０】
このようにすると、鋼製の棟部材及び鋼製の隅棟部材の一方、或いは両者は、全て３つの部材を現場で直線状に連結する構造となり、小型で軽量化を図った資材となって搬入作業を容易に行うことができる。
【００１１】
また、前記棟部材を、第１及び第２の端部材と、これら第１及び第２の端部材の間に連結している中間棟部材との３つの部材により構成し、棟行き方向の寸法の変化に応じて前記中間棟部材の長さを適宜調整するようにしてもよい。
【００１２】
このようにすると、設計の相違により発生する棟行き方向の寸法の違いを、高度な熟練を要せずに中間棟部材の長さを適宜調整することで簡単に対応することができ、それにより、施工の容易化及び簡略化を図って作業性の向上及び工期の短縮を図ることができる。
【００１３】
また、前記隅棟部材を、上端部材及び下端部材と、これら上端部材及び下端部材の間を連結する中間隅棟部材との３つの部材により構成し、前記勾配の変化に応じて前記中間隅棟部材の長さを適宜調整するようにしてもよい。
【００１４】
このようにすると、設計の相違により発生する勾配の変化を、高度な熟練を要せずに中間隅棟部材の長さを適宜調整することで簡単に対応することができ、それにより、施工の容易化及び簡略化を図って作業性の向上及び工期の短縮を図ることができる。
【００１５】
【発明の実施の形態】
以下、本発明に係る実施形態を図面に基づいて説明する。
【００１６】
図１は、本実施形態の勾配天井２を天井裏側から示した図であり、建物の天井部をなしている。建物はパネル工法により構築された建築物であり、壁部は、図示しないが、連設した複数の壁パネルによって構築されている。
【００１７】
勾配天井２は、中央部の天井高が両端部の天井高と比べて高くなっている船底天井であり、勾配部４と、勾配部４の２方向の最下部から水平に連続している２箇所のフラット部６とを備えている。
【００１８】
各フラット部６は、壁パネル（図示せず）の上部に水平に連結している木製の野縁部材６ａと、この野縁部材６ａの側部に連結して水平に延在している横断面コ字形状の鋼製ランナー６ｂと、この鋼製ランナー６ｂに一端が連結して室内に向けて水平直角に延在している複数のスタッド材６ｃと、これらスタッド材６ｃの他端に連結して野縁部材６ａに対して平行に延在している鋼製の野縁部材６ｄとで矩形状の枠体を形成しているとともに、その枠体の下面に石膏ボード６ｅを貼設した構成となっている。そして、各フラット部６は、スタッド材６ｃに天井裏から下がった吊木が連結して吊り下げ支持されている。
【００１９】
また、勾配部４は、フラット部６が連続していない壁パネル（図示せず）の上部に水平に連結している木製の野縁部材５と、この野縁部材５の側部に水平に連結している横断面コ字形状の鋼製ランナー８と、前記２箇所のフラット部６の鋼製の野縁部材６ｄの側部に連結している勾配用の鋼製ランナー１０、１２と、鋼製ランナー８、１０、１２より上方位置の天井頂部側に水平に延在している鋼製の棟部材１４と、鋼製ランナー８、１０、１２及び棟部材１４との間に所定の勾配を付けて連結している２本の鋼製の隅棟部材１６、１８と、鋼製ランナー８、１０、１２及び棟部材１４、隅棟部材１６、１８の間で所定の勾配をつけて配置した複数の勾配スタッド材２０と、これら勾配スタッド材２０の下面に貼設した天井材としての石膏ボード２２とで構成されている。
【００２０】
鋼製の棟部材１４は、第１及び第２の端部材１４ａ、１４ｂと、これら第１及び第２の端部材１４ａ、１４ｂの間で連結している中間棟部材１４ｃとの３つの部材で構成されている。
【００２１】
これら第１及び第２の端部材１４ａ、１４ｂと、中間棟部材１４ｃの横断面形状は、図３に示すように、面方向を上下に向けた板状の基部２４ａと、基部２４ａの上部に設けた第１の山形傾斜部２４ｂと、基部２４ａの下部に設けた第２の山形傾斜部２４ｃとで構成されている。そして、第１及び第２の端部材１４ａ、１４ｂの基部２４ａと、中間棟部材１４ｃの基部２４ａとを板状のレールジョイント２６でビス２８により連結することにより、第１及び第２の端部材１４ａ、１４ｂ及び中間棟部材１４ｃが直線状に連結する。
【００２２】
ここで、第１及び第２の端部材１４ａ、１４ｂは、図２に示すように、屋根梁３０から下がっている吊り木３２に、レールハンガー３４を介して連結することにより吊り下げ支持されている。
【００２３】
また、鋼製の隅棟部材１６は、上端部材１６ａ、下端部材１６ｂと、これら上端及び下端部材１６ａ、１６ｂの間で連結している中間隅棟部材１６ｃとの３つの部材で構成されている。
【００２４】
上端及び下端部材１６ａ、１６ｂと、中間隅棟部材１６ｃの横断面形状も、図４に示すように、面方向を上下に向けた板状の基部３６ａと、基部３６ａの上部に設けた第１の山形傾斜部３６ｂと、基部３６ｂの下部に設けた第２の山形傾斜部３６ｃとで構成されており、上端及び下端部材１６ａ、１６ｂの基部３６ａと、中間隅棟部材１６ｃの基部３６ａとを板状のレールジョイント３８でビス４０により連結することにより、上端及び下端部材１６ａ、１６ｂ及び中間隅棟部材１６ｃが直線状に連結する。
【００２５】
また、構成の隅棟部材１８も、前述した隅棟部材１６と同一の形状で形成されている。
【００２６】
上記構成の勾配天井２によると、構成部材のほとんどを鋼製の部材により構成しているので、予め工場等で形成することが可能で、工業化の推進及び現場作業の簡略化を図ることができる。しかも、天井部材として入手が困難な木材を使用する部分が少なくなるので、施工コストの高騰化を抑制することができる。
【００２７】
そして、鋼製の棟部材１４、鋼製の隅棟部材１６、１８は、全て３つの部材を現場で直線状に連結する構造となっており、小型で軽量化を図った資材となるので搬入作業を容易に行うことができる。
【００２８】
また、設計の相違により種々ある勾配天井の寸法の違いを、高度な熟練を要せずに棟部材１４の中間棟部材１４ｃ、隅棟部材１６、１８の中間隅棟部材１６ｃ、１８ｃの長さを適宜調整することで簡単に対応することができ、それにより、施工の容易化及び簡略化を図って作業性の向上及び工期の短縮を図ることができる。
【００２９】
【発明の効果】
以上説明したように、本発明の勾配天井によると、天井施工の容易化及び簡略化を図って作業性の向上及び工期の短縮を図ることができるとともに、施工コストの削減も図ることができる。
【図面の簡単な説明】
【図１】本発明に係る勾配天井の実施形態を天井裏側から示した斜視図である。
【図２】本発明に係る勾配天井の要部を示した斜視図である。
【図３】本発明に係る棟部材の横断面形状を示した図である。
【図４】本発明に係る隅棟部材の横断面形状を示した図である。
【符号の説明】
２    勾配天井
４    勾配部
５    木製の野縁部材
６    フラット部
８    鋼製ランナー
１０、１２  勾配用の鋼製ランナー
１４  鋼製の棟部材
１４ａ  第１の端部材
１４ｂ  第２の端部材
１４ｃ  中間棟部材
１６、１８  鋼製の隅棟部材
１６ａ、１８ａ  上端部材
１６ｂ、１８ｂ  下端部材
１６ｃ、１８ｃ  中間隅棟部材
２２  石膏ボード（天井材）
【図１】
0004598221.tif 000002
【図２】
0004598221.tif 000003
【図３】
0004598221.tif 000004
【図４】
0004598221.tif 000005